【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
測定装置に備えられる表示制御装置であって、
前記測定装置は、
脈波伝搬時間の測定部位に巻き付け装着されるベルトと、
前記ベルトが装着される場合に、前記ベルトの前記測定部位の側となる面である内周面に設けられるセンサ部と、
前記ベルトの前記内周面とは反対側の面である外周面に設けられるディスプレイと、を備え、
前記ディスプレイは、前記外周面において、前記ベルトが装着される場合に前記センサ部が位置する部位と対向し得る部位に設けられ、
前記センサ部は、前記ベルトの幅方向に互いに離間した配置で設けられる第１脈波センサおよび第２脈波センサを含み、
前記表示制御装置は、
前記ディスプレイにおいて、離間して配置された前記第１脈波センサおよび前記第２脈波センサのそれぞれに対応した位置で、前記第１脈波センサの出力が示す第１脈波振幅の大きさを表す第１インジケータ情報および前記第２脈波センサの出力が示す第２脈波振幅の大きさを表す第２インジケータ情報をそれぞれ表示する、表示制御装置。
【請求項２】
前記表示制御装置は、
前記第１脈波振幅の大きさ、および前記第２脈波振幅の大きさに従うガイド情報であって、前記センサ部と前記測定部位との相対的な位置関係を調整するためのガイド情報を、前記ディスプレイに表示する、請求項１に記載の表示制御装置。
【請求項３】
前記表示制御装置は、
前記ガイド情報を、前記ディスプレイにおいて、前記第１インジケータ情報および前記第２インジケータ情報と同一画面に表示する、請求項２に記載の表示制御装置。
【請求項４】
前記ガイド情報は、
前記測定部位に対する前記センサ部の位置を移動させる方向をガイドする情報を含む、請求項２または３に記載の表示制御装置。
【請求項５】
前記ガイド情報は、
前記測定部位に対する前記センサ部の位置を移動させる方向をガイドする情報を含み、
前記第１脈波振幅の大きさ、または前記第２脈波振幅の大きさが予め定められた大きさを示さない場合、前記ガイド情報は前記移動させる方向をガイドする情報を含む、請求項２から４のいずれか１項に記載の表示制御装置。
【請求項６】
前記第１脈波振幅の大きさ、および前記第２脈波振幅の大きさが前記予め定められた大きさを示す場合、前記ガイド情報は前記センサ部の位置を固定することをガイドする情報を含む、請求項５に記載の表示制御装置。
【請求項７】
前記第１脈波振幅の大きさ、および前記第２脈波振幅の大きさが前記予め定められた大きさを示す場合、前記ガイド情報は、前記移動させる方向をガイドする情報に代えて、前記センサ部の位置を固定することをガイドする情報を含む、請求項６に記載の表示制御装置。
【請求項８】
前記第１脈波振幅の大きさを示す情報および前記第２脈波振幅の大きさを示す情報は、それぞれ、当該脈波振幅の大きさが前記予め定められた大きさを示す場合の表示態様と、当該予め定められた大きさを示さない場合の表示態様とは異なる、請求項５に記載の表示制御装置。
【請求項９】
前記ガイド情報は、
前記測定部位に対する前記装着の状態を評価する情報を含み、
前記評価する情報は、
前記第１脈波振幅の大きさ、および前記第２脈波振幅の大きさが前記予め定められた大きさを示す場合と、前記第１脈波振幅の大きさ、または前記第２脈波振幅の大きさが前記予め定められた大きさを示さない場合とで異なる評価を示す、請求項２から８のいずれか１項に記載の表示制御装置。
【請求項１０】
前記第１脈波振幅の大きさ、または前記第２脈波振幅の大きさが前記予め定められた大きさを示さない場合、前記ガイド情報は、前記巻き付け装着のし直しを促す情報を含む、請求項９に記載の表示制御装置。
【請求項１１】
前記測定装置は、
表示部を備える外部の情報処理装置と通信する通信部を、さらに備え、
前記ガイド情報を、前記表示部に表示させるために前記通信部を介して前記情報処理装置に送信する、請求項９または１０に記載の表示制御装置。
【請求項１２】
前記脈波伝搬時間は、前記第１脈波振幅の大きさおよび前記第２脈波振幅の大きさから算出され、
前記測定装置は、
前記脈波伝搬時間に基づく血圧を算出する、請求項２から１１のいずれか１項に記載の表示制御装置。
【請求項１３】
前記ガイド情報は、
前記測定部位に対する前記装着の状態を評価する情報を含み、
前記表示制御装置は、
前記装着の状態を評価する情報を、算出された前記血圧を評価する情報と関連づけて表示する、請求項１２に記載の表示制御装置。
【請求項１４】
前記表示制御装置は、さらに、
前記ガイド情報を表示する場合、前記第１脈波振幅の大きさまたは前記第２脈波振幅の大きさが変化したとき、当該ガイド情報に当該変化を報知する情報を含める、請求項２から１３のいずれか１項に記載の表示制御装置。
【請求項１５】
装置における表示制御方法をコンピュータに実行させるためのプログラムであって、
前記装置は、
脈波伝搬時間の測定部位に巻き付け装着されるベルトと、
前記ベルトが装着される場合に前記ベルトの前記測定部位の側となる面である内周面に設けられるセンサ部と、
前記ベルトの前記内周面とは反対側の面である外周面に設けられるディスプレイと、を備え、
前記ディスプレイは、前記外周面において、前記ベルトが装着される場合に前記センサ部が位置する部位と対向し得る部位に設けられ、
前記センサ部は、前記ベルトの幅方向に互いに離間した配置で設けられる第１脈波センサおよび第２脈波センサを含み、
前記表示制御方法は、
前記第１脈波センサの出力が示す第１脈波振幅の大きさを表す第１インジケータ情報、および前記第２脈波センサの出力が示す第２脈波振幅の大きさを表す第２インジケータ情報を取得し、
前記ディスプレイにおいて、離間して配置された前記第１脈波センサおよび前記第２脈波センサのそれぞれに対応した位置で、前記第１インジケータ情報および前記第２インジケータ情報をそれぞれ表示する、プログラム。
【手続補正２】
【補正対象書類名】明細書
【補正対象項目名】０００４
【補正方法】変更
【補正の内容】
【０００４】
従来、動脈を伝搬する脈波の伝搬時間（脈波伝搬時間；Pulse Transit Time；ＰＴＴ)から血圧を推定（測定）する方法が知られている。ＰＴＴは、動脈上の異なる２点のそれぞれで脈波センサにより脈波信号を検出し、２点間で脈波振幅のピーク（最大）が検出される時間差から求められる。したがって、高い血圧測定精度を得るために、脈波センサを動脈上に確実に位置合わせするための情報の提示が望まれる。しかし、特許文献１および特許文献２は、脈波伝搬時間を測定する場合の脈波センサを位置合わせするための情報を提示しない。
【手続補正３】
【補正対象書類名】明細書
【補正対象項目名】００２４
【補正方法】変更
【補正の内容】
【００２４】
【図１】実施の形態１に従う血圧計１の外観斜視図である。
【図２】実施の形態１に従う血圧計１が左の手首９０に装着された状態を示す図である。
【図３】図１の血圧計１が左の手首９０に装着された状態における、インピーダンス測定用の電極群の平面レイアウトを示す図である。
【図４】実施の形態１に従う血圧計１の制御系のブロック構成を示す図である。
【図５】実施の形態１に従う脈波伝搬時間に基づく血圧測定を説明するための模式図である。
【図６】実施の形態１に従うオシロメトリック法による血圧測定を行なう場合において、血圧計１が手首９０に装着された状態での、手首の長手方向に沿った模式断面図である。
【図７】実施の形態１に係るセンサ部の装着状態の判定を説明する図である。
【図８】実施の形態１に係るガイド情報を出力するための機能の構成を、血圧測定機能と関連づけて模式的に示す図である。
【図９】実施の形態１に係るガイド情報の出力と脈波伝搬時間に基づく血圧測定の処理を示すフローチャートである。
【図１０】実施の形態１に係るガイド情報の他の表示例を示す図である。
【図１１】実施の形態１に係るガイド情報の他の表示例を示す図である。
【図１２】実施の形態１に係るガイド情報の他の表示例を示す図である。
【図１３】実施の形態１に係る測定結果の格納例を示す図である。
【図１４】実施の形態１に係る他の表示例を示す図である。
【図１５】実施の形態１に係る更なる他の表示例を示す図である。
【図１６】実施の形態１に係る更なる他の表示例を示す図である。
【図１７】実施の形態１に係る更なる他の表示例を示す図である。
【図１８】実施の形態２に従うシステムの概略的な構成を示す図である。
【手続補正４】
【補正対象書類名】明細書
【補正対象項目名】００６３
【補正方法】変更
【補正の内容】
【００６３】
（脈波伝搬時間に基づく血圧測定の概要）
図５は、実施の形態１に係る脈波伝搬時間に基づく血圧測定を説明するための模式図である。具体的には、図５（Ａ）は、血圧計１が手首９０に装着された状態における、脈波伝搬時間に基づく血圧測定を行う際の手首の長手方向に沿った模式断面図である。図５（Ｂ）は、脈波信号ＰＳ１，ＰＳ２の波形を示す図である。なお、図５では、センサ部４０は測定部位の橈骨動脈９１の上に位置している。
【手続補正５】
【補正対象書類名】明細書
【補正対象項目名】００７０
【補正方法】変更
【補正の内容】
【００７０】
手首９０の掌側面９０ａに対する、電流電極対４１，４６、第１脈波センサ４０−１、および第２脈波センサ４０−２のそれぞれの押圧力は、適宜の値に設定することができる。本実施の形態では、押圧部として流体袋の押圧カフ２４を用いているため、ポンプ３２および弁３３を圧迫カフ２１と共通に使用することができ、構成の簡略化を図ることができる。また、固形物２２を介して第１脈波センサ４０−１、第２脈波センサ４０−２、および電流電極対４１，４６を押圧できるため、測定部位に対する押圧力が均一になり、精度よく脈波伝搬時間に基づく血圧測定を行なうことができる。
【手続補正６】
【補正対象書類名】明細書
【補正対象項目名】００７２
【補正方法】変更
【補正の内容】
【００７２】
この加圧過程で、ＣＰＵ１００は、第１脈波センサ４０−１および第２脈波センサ４０−２のそれぞれが時系列に出力する第１および第２脈波信号ＰＳ１およびＰＳ２を取得し、第１および第２脈波信号ＰＳ１およびＰＳ２の波形間の相互相関係数ｒをリアルタイムに算出する。ＣＰＵ１００は、加圧過程にリアルタイムに算出される相互相関係数ｒが閾値Ｔｈ（例えばＴｈ＝０．９９）を超えると判断すると、その時点のカフ圧Ｐｃにおいて検出される第１および第２脈波信号ＰＳ１およびＰＳ２について、第１および第２脈波信号ＰＳ１およびＰＳ２の振幅のピークＡ１およびＡ２の時間差ΔｔをＰＴＴ（脈波伝搬時間）として算出する。
【手続補正７】
【補正対象書類名】明細書
【補正対象項目名】００９３
【補正方法】変更
【補正の内容】
【００９３】
さらに、ＣＰＵ１００は、各ピクトグラム群の第１インジケータ情報Ｇ１，第２インジケータ情報Ｇ２に関連付けて、対応の脈波センサの位置としてユーザの「左」または「右」の側を示す文字ＣＨを表示する。図７（Ｄ）上段の表示では、ＣＰＵ１００は、ユーザに対して、例えば、第１脈波センサ４０−１と第２脈波センサ４０−２が検出する脈波振幅値がアンバランスであること、または脈波振幅値が相対的に高い／低いことをガイダンスできて、ユーザに対して、センサ部４０の位置を移動させることを動機づけすることができる。動機づけされたユーザは、「右」の文字ＣＨが関連付けされたインジケータ情報Ｇ２が示す脈波信号の振幅を大きくするよう、ディスプレイ５０の筐体を右方向に押す。
【手続補正８】
【補正対象書類名】明細書
【補正対象項目名】００９６
【補正方法】変更
【補正の内容】
【００９６】
ＣＰＵ１００は、装着状態を「ＯＫ」と判定したときに検出される第１脈波信号ＰＳ１および第２脈波信号ＰＳ２の波形の特徴と、上記に述べた公知の式に従い、ＰＴＴに基づいた血圧測定（推定）を実施する。
【手続補正９】
【補正対象書類名】明細書
【補正対象項目名】００９９
【補正方法】変更
【補正の内容】
【００９９】
メモリ５１には、検出され得る（第１脈波信号ＰＳ１の振幅の大きさ、第２脈波信号ＰＳ２の振幅の大きさ）の組のそれぞれに対応して画像データ５４が格納される。画像データ５４の対応する組は、当該画像データ５４に割当られるＩＤ（identification）により示される。画像データ５４は、第１脈波信号ＰＳ１および第２脈波信号ＰＳ２の振幅の大きさを示すピクトグラム群と、「左」，「右」の文字ＣＨの画像とを含む。（第１脈波信号ＰＳ１の振幅の大きさ、第２脈波信号ＰＳ２に振幅の大きさ）の組に対応する画像データ５４は、実験等に基づき生成されて、メモリ５１に、当該組に対応付けて格納される。